(57)【特許請求の範囲】
【請求項１】
複数のスイッチを用いて構成されると共に上記複数のスイッチのオン状態とされるタイミングとオフ状態とされるタイミングが互いに位相差を有する回転形エンコーダと、
上記回転形エンコーダの複数のスイッチのオン状態あるいはオフ状態の組み合わせで異なるレベルの操作信号を生成する操作信号生成手段と、
音声信号供給手段と、
前記音声信号供給手段から供給された音声信号の信号処理を行って出力する信号処理手段と、
上記操作信号の信号レベルの変化を検出して、該信号レベルの変化に基づき上記回転形エンコーダの操作方向および操作量の判別を行い、該判別結果に基づいて上記音声信号供給手段と上記信号処理手段の少なくとも一方の動作を制御する制御信号を生成する制御手段とを有する
ことを特徴とするオーディオ再生装置。
【発明の詳細な説明】
【０００１】
【発明の属する技術分野】
この発明は、オーディオ再生装置に関する。詳しくは、回転形エンコーダの複数のスイッチのオン状態とされるタイミングとオフ状態とされるタイミングを互いに位相差を有するものとする。この回転形エンコーダの複数のスイッチのオン状態あるいはオフ状態の組み合わせで異なる信号レベルの操作信号を信号生成手段で生成するものとし、この信号生成手段で生成された１つの操作信号の信号レベルを検出して回転形エンコーダの回転操作方向や回転操作量を判別して動作を制御するものである。
【０００２】
【従来の技術】
従来の電子機器、例えばステレオ装置では、受信する放送波を選局するためにあるいはスピーカから出力する音声の音量を調整するため、操作部を操作して選局操作あるいは音量調整操作を行い、入力回路で操作部の操作方向や操作量に応じた操作信号を発生させて、操作信号に基づいて選局動作や音量調整動作が行われている。この入力回路は例えば回転形エンコーダを用いて構成されている。
【０００３】
ここで、図５に回転形エンコーダを用いた従来の入力回路の構成を示す。図５において、回転形エンコーダ１０は、２つのスイッチ１０s1，１０s2を有する構成とされており、回転操作に伴い２つのスイッチ１０s1，１０s2が例えば回転形エンコーダ１０の回転角度（以下「操作角」という）９０°の位相差をもってオン状態あるいはオフ状態とされるものである。このスイッチ１０s1の一方の端子１０ａは、抵抗器１１を介して電源端子１３に接続され、他方の端子１０ｃは接地される。この端子１０ｃにはスイッチ１０s2の一方の端子が接続されており、スイッチ１０s2の他方の端子１０ｂは抵抗器１２を介して電源端子１３に接続される。また端子１０ａは制御部１５の信号入力端子１５ａに接続され、端子１０ｂは信号入力端子１５ｂに接続される。
【０００４】
このため、回転形エンコーダを例えば時計方向に回転させると、スイッチ１０s1は図６Ａに示すように、回転位置Ｐ1でオン状態とされ、位置Ｐ2を経て１８０°回転された位置Ｐ3でオフ状態とされ、更に１８０°回転されて位置Ｐ4を経て位置Ｐ1とされたときにオン状態とされる。またスイッチ１０s2は、スイッチ１０s1に対して操作角９０°の位相差をもってオン状態あるいはオフ状態とされることから、例えば図６Ｂに示すように位置Ｐ1から９０°回転された位置Ｐ2でオン状態とされ、位置Ｐ2から１８０°回転された位置Ｐ4でオフ状態とされる。
【０００５】
このように、位置Ｐ1から位置Ｐ2を経て位置Ｐ3まではスイッチ１０s1がオン状態とされるので、回転形エンコーダ１０の端子１０ａの電圧である操作信号ＰＳaの信号レベルは図６Ｃに示すように「０」とされ、電源端子１３の電圧を「Ｖcc」としたときには、位置Ｐ3から位置Ｐ4を経て位置Ｐ1まではスイッチ１０s1がオフ状態とされて信号レベルは「Ｖcc」とされる。
【０００６】
同様に、位置Ｐ2から位置Ｐ3を経て位置Ｐ4まではスイッチ１０s2がオン状態とされて回転形エンコーダ１０の端子１０ｂの電圧である操作信号ＰＳbの信号レベルは図６Ｄに示すように「０」とされ、位置Ｐ4から位置Ｐ1を経て位置Ｐ2まではスイッチ１０s2がオフ状態とされて信号レベルは「Ｖcc」とされる。
【０００７】
また、回転形エンコーダを反時計方向に回転させると、スイッチ１０s1は図６Ｅに示すように、位置Ｐ1から位置Ｐ4を経て位置Ｐ3まではオフ状態とされて図６Ｇに示す操作信号ＰＳaの信号レベルは「Ｖcc」とされ、位置Ｐ3から位置Ｐ2を経て位置Ｐ1まではスイッチ１０s1がオン状態とされて信号レベルは「０」とされる。
【０００８】
同様に、スイッチ１０s2は図６Ｆに示すように、位置Ｐ4から位置Ｐ3を経て位置Ｐ2まではオン状態とされて図６Ｈに示す操作信号ＰＳbの信号レベルは「０」とされ、位置Ｐ2から位置Ｐ1を経て位置ｔ4まではスイッチ１０s2がオフ状態とされて信号レベルは「Ｖcc」とされる。
【０００９】
このように、回転形エンコーダを時計方向あるいは反時計方向に回転させると、操作信号ＰＳa，ＰＳbの信号レベルが位相差をもって立ち上がるものとされるので、いずれの操作信号の信号レベルが先に立ち上がったかを判別することにより、回転形エンコーダがどちらの方向に回転されたか検出することができる。また、電圧の立ち上がりあるいは立ち下がり回数を算出することにより、回転数も検出することができる。
【００１０】
【発明が解決しようとする課題】
ところで、このように操作信号ＰＳa，ＰＳbのそれぞれの信号レベルの変化を例えばマイクロコンピュータ（以下「マイコン」という）で検出して回転方向や回転数を検出する場合、１つの操作部の操作方向や操作量を検出するために２つの操作信号が用いられるのでマイコンの信号入力端子が２つ占有されてしまう。また、マイコンでは端子数がパッケージ等に基づいて予め決められている。このため、回転形エンコーダを複数個設ける場合や他の信号の処理も行う場合には、マイコンの信号入出力端子が不足してしまう場合が生じ、信号入出力端子を拡張する手段が必要とされる。また信号線の数が多くなるので線材等のコストも高くなると共に、プリント基板上での配線も煩雑となってしまう。
【００１１】
そこで、この発明では、操作部の操作方向や操作量を１つの信号で判別して動作の制御を行えるオーディオ再生装置を提供するものである。
【００１２】
【課題を解決するための手段】
この発明に係るオーディオ再生装置は、複数のスイッチを用いて構成されると共に複数のスイッチのオン状態とされるタイミングとオフ状態とされるタイミングが互いに位相差を有する回転形エンコーダと、回転形エンコーダの複数のスイッチのオン状態あるいはオフ状態の組み合わせで異なるレベルの操作信号を生成する操作信号生成手段と、音声信号供給手段と、音声信号供給手段から供給された音声信号の信号処理を行って出力する信号処理手段と、操作信号の信号レベルの変化を検出して、該信号レベルの変化に基づき回転形エンコーダの操作方向および操作量の判別を行い、該判別結果に基づいて音声信号供給手段と信号処理手段の少なくとも一方の動作を制御する制御信号を生成する制御手段とを有するものである。
【００１４】
この発明においては、回転形エンコーダの複数のスイッチのオン状態とされるタイミングとオフ状態とされるタイミングが互いに位相差を有するものとされる。信号生成手段では、この回転形エンコーダの複数のスイッチのオン状態あるいはオフ状態の組み合わせで異なるレベルの操作信号を生成するものとし、この操作信号の信号レベルに基づいて回転形エンコーダの回転操作方向や回転操作量が判別される。
【００１５】
【発明の実施の形態】
以下、図面を参照しながら、この発明に係るオーディオ再生装置の実施の一形態について説明する。図１は、オーディオ再生装置が例えばステレオ装置である場合を示している。
【００１６】
図１において、ステレオ装置２０には、コンパクトディスク載置部２１、テープ装着部２２、操作部２３、表示部２４等が設けられており、操作部２３を操作することで、コンパクトディスク載置部２１に載置されたコンパクトディスクの再生、テープ装着部２２に装着された磁気テープの録音や再生、あるいはチューナ部（図示せず）の選局等が行われる。また、表示部２４には、磁気テープの録音動作や再生動作、コンパクトディスクの再生動作、チューナ部で選局している信号の周波数、音量等に関する情報等が表示される。
【００１７】
図２はステレオ装置２０の構成を示している。図２において、ＣＤ部２１１では後述する制御部２７０からの動作制御信号ＣＴaに基づいてコンパクトディスクの再生動作が行われる。このＣＤ部２１１で得られたＣＤ再生音声信号Ｓcdは信号処理部２６０に供給される。
【００１８】
デッキ部２２１では、後述する制御部２７０からの動作制御信号ＣＴaに基づいて磁気テープの記録や再生動作が制御される。この磁気テープを再生して得られたテープ再生音声信号Ｓprは信号処理部２６０に供給される。また磁気テープに記録される記録音声信号Ｓpwは信号処理部２６０からデッキ部２２１に供給される。
【００１９】
チューナ部２５０では、制御部２７０からの動作制御信号ＣＴaに基づいて所望の放送波の選局が行われて、得られたチューナ音声信号Ｓtuが信号処理部２６０に供給される。
【００２０】
信号処理部２６０では、制御部２７０からの選択制御信号ＣＴbに基づいてＣＤ再生音声信号Ｓcdやテープ再生音声信号Ｓprあるいはチューナ音声信号Ｓtuのいずれかの音声信号が選択されると共に、この音声信号が増幅されて音声出力信号Ｓoutとされる。この音声出力信号Ｓoutがスピーカ２８０に供給されることにより、ＣＤ再生音やテープ再生音あるいは放送番組の音声がスピーカ２８０から出力される。
【００２１】
制御部２７０は、例えばマイクロコンピュータ等を用いて構成される。この制御部２７０には操作部２３が接続されて、操作部２３からの操作信号ＰＳに応じてＣＤ部２１１の再生動作やデッキ部２２１の記録再生動作あるいはチューナ部２５０の選局動作を制御するための動作制御信号ＣＴa、およびＣＤ部２１１やデッキ部２２１あるいはチューナ部２５０で得られた音声信号のいずれかを選択するための選択制御信号ＣＴbが生成される。なお、制御部２７０には、ＣＤ部２１１やデッキ部２２１やチューナ部２５０から動作状態等を示す信号ＲＥも供給され、動作状態の確認等も行われる。さらに、制御部２７０には表示部２４が接続されており、表示部２４で各種の情報を表示させるための表示信号ＤＰが制御部２７０から表示部２４に供給される。
【００２２】
ここで、操作部２３では、選局や音量調整等のために図３に示す入力回路が用いられる。
【００２３】
図３において、入力回路は例えば２つのスイッチを有する回転形エンコーダを用いて構成されており、回転操作に伴い回転形エンコーダ４０の２つのスイッチ４０s1，４０s2が例えば操作角９０°の位相差をもってオン状態あるいはオフ状態とされるものである。このスイッチ４０s1の一方の端子４０ａは、信号生成手段を構成する抵抗器４１，４２を介して電源端子４４に接続され、他方の端子４０ｃは接地される。この端子４０ｃにはスイッチ４０s2の一方の端子が接続されており、スイッチ４０s2の他方の端子４０ｂは、信号生成手段を構成する抵抗器４３を介して抵抗器４１と抵抗器４２の接続点Ｔａに接続される。
【００２４】
このように構成される入力回路の接続点Ｔａには、制御部２７０の信号入力端子２７０ａが接続されており、接続点Ｔａの電圧が操作信号ＰＳcの信号レベルとされて制御部２７０を構成するマイコンのＡ／Ｄ変換回路２７１に供給されて信号レベルがディジタル値に変換されて処理される。
【００２５】
次に図４を使用して入力回路の動作を説明する。回転形エンコーダ４０を例えば時計方向に回転させると、スイッチ４０s1は図４Ａに示すように、回転位置Ｐ1でオン状態とされ、位置Ｐ2を経て１８０°回転された位置Ｐ3でオフ状態とされ、更に１８０°回転されて位置Ｐ4を経て位置Ｐ1とされたときにオン状態とされる。またスイッチ４０s2は、スイッチ４０s1に対して操作角９０°の位相差をもってオン状態あるいはオフ状態とされるものであり、例えば図４Ｂに示すように位置Ｐ1から９０°時計方向に回転された位置Ｐ2でオン状態とされ、位置Ｐ2から１８０°回転された位置Ｐ4でオフ状態とされる。
【００２６】
このため、位置Ｐ1から位置Ｐ２まではスイッチ４０s1がオン状態でスイッチ４０s2がオフ状態とされることから図４Ｃに示す操作信号ＰＳcは信号レベルＬ2とされる。ここで、電源端子４４の電圧をＶcc、抵抗器４１，４２，４３の抵抗値をそれぞれＲ41，Ｒ42，Ｒ43としたとき、信号レベルＬ2は式（１）に基づいて算出される。なお、抵抗値Ｒ41は抵抗値Ｒ43よりも小さいものとする。
Ｌ2＝Ｒ41／（Ｒ41＋Ｒ42）×Ｖcc  −−−（１）
【００２７】
位置Ｐ2から位置Ｐ3まではスイッチ４０s1，４０s2がオン状態とされることから操作信号ＰＳcは信号レベルＬ1とされる。なお、信号レベルＬ1は式（３）に基づいて算出される。なお式（３）において、「Ｒk」は抵抗器４１，４３が並列接続されたときの抵抗値を示すものであり式（２）より算出される。
Ｒk＝Ｒ41×Ｒ43／（Ｒ41＋Ｒ43）  −−−（２）
Ｌ1＝Ｒk／（Ｒk＋Ｒ42）×Ｖcc    −−−（３）
【００２８】
位置Ｐ3から位置Ｐ4まではスイッチ４０s1がオフ状態とされると共にスイッチ４０s2がオン状態とされることから操作信号ＰＳcは信号レベルＬ3とされる。なお、信号レベルＬ3は式（４）に基づいて算出される。
Ｌ3＝Ｒ43／（Ｒ42＋Ｒ43）×Ｖcc  −−−（４）
【００２９】
位置Ｐ4から位置Ｐ1まではスイッチ４０s1，４０s2がオフ状態とされることから操作信号ＰＳcは信号レベルＶccとされる。
【００３０】
このように、回転形エンコーダを時計方向に回転させたときには、操作信号ＰＳcの信号レベルが「Ｖcc」→「Ｌ2」→「Ｌ1」→「Ｌ3」→「Ｖcc」→……の順に可変される。
【００３１】
次に、回転形エンコーダを反時計方向に回転させると、スイッチ４０s1は図４Ｄに示すように、位置Ｐ1から位置Ｐ4を経て位置Ｐ3まではオフ状態とされ、位置Ｐ3から位置Ｐ2を経て位置Ｐ1まではオン状態とされる。スイッチ４０s2は図４Ｅに示すように、位置Ｐ4から位置Ｐ3を経て位置Ｐ2まではオン状態とされ、位置Ｐ2から位置Ｐ1を経て位置ｔ4まではスイッチ２０s2がオフ状態とされる。
【００３２】
このため、位置Ｐ1から位置Ｐ4まではスイッチ４０s1，４０s2がオフ状態とされることから図４Ｆに示す操作信号ＰＳcは信号レベルＶccとされる。位置Ｐ4から位置Ｐ3まではスイッチ４０s1がオフ状態でスイッチ４０s2がオン状態とされることから操作信号ＰＳcは信号レベルＬ3とされる。位置Ｐ3から位置Ｐ2まではスイッチ４０s1，４０s2がオン状態とされることから操作信号ＰＳcは信号レベルＬ1とされる。位置Ｐ2から位置Ｐ1まではスイッチ４０s1がオン状態でスイッチ４０s2がオフ状態とされることから操作信号ＰＳcは信号レベルＬ2とされる。
【００３３】
このように、回転形エンコーダを反時計方向に回転させたときには、操作信号ＰＳcの信号レベルは時計方向に回転させたときとは逆に「Ｖcc」→「Ｌ3」→「Ｌ1」→「Ｌ2」→「Ｖcc」→……の順に可変される。
【００３４】
以上のように、操作信号ＰＳcの信号レベルの変化の状態を検出することにより回転形エンコーダが時計方向あるいは反時計方向に操作されたかを容易に判別することかできると共に、電圧の変化の回数によって回転数も検出することができるので、端子４０ａの信号レベルと端子４０ｂの信号レベルの位相差を検出するために２つの信号を制御部２７０に供給する必要がなく１つの信号で回転操作方向や回転操作量を検出することができ、マイコンの信号入出力端子を効率よく活用できる。
【００３５】
なお、上述の実施の形態では、２つのスイッチを有する回転形エンコーダを用いるものとしたが、回転形エンコーダは２つのスイッチを有するものに限られるものではない。また入力回路は、ステレオ装置の選局や音量調整だけでなく、ビデオテープレコーダのＪＯＧや計測器のカーソル位置調整用等にも用いることができる。
【００３６】
【発明の効果】
この発明によれば、回転形エンコーダの複数のスイッチのオン状態とされるタイミングとオフ状態とされるタイミングが互いに位相差を有するものとされる。信号生成手段では、この回転形エンコーダの複数のスイッチのオン状態あるいはオフ状態の組み合わせで異なるレベルの操作信号を生成するものとし、この操作信号の信号レベルに基づいて回転形エンコーダの回転操作方向や回転操作量が判別される。
【００３７】
このように、１つの信号で回転操作方向や回転操作量が判別できるので、回転形エンコーダと制御部間での接続線の数を少ないものとすることができる。また例えばマイクロコンピュータの信号入出力端子も効率よく活用することができる。
【図面の簡単な説明】
【図１】ステレオ装置の外観を示す図である。
【図２】ステレオ装置の構成を示す図である。
【図３】この発明に係る入力回路の実施の一形態の構成を示す図である。
【図４】この発明に係る入力回路の実施の一形態の動作を示す図である。
【図５】従来の入力回路の構成を示す図である。
【図６】従来の入力回路の動作を示す図である。
【符号の説明】
１０，４０・・・回転形エンコーダ
１３，４４・・・電源端子
１５，２７０・・・制御部
２０・・・ステレオ装置
２１・・・コンパクトディスク載置部
２２・・・テープ装着部
２３・・・操作部
２４・・・表示部
２１１・・・ＣＤ部
２２１・・・デッキ部
２５０・・・チューナ部
２６０・・・信号処理部
２７１・・・Ａ／Ｄ変換回路
２８０・・・スピーカ
【図１】
0003911752.tif 000002
【図２】
0003911752.tif 000003
【図３】
0003911752.tif 000004
【図４】
0003911752.tif 000005
【図５】
0003911752.tif 000006
【図６】
0003911752.tif 000007